(57)【特許請求の範囲】
【請求項１】
シート状基材の長さ方向に、高吸収成分の存在部位とその非存在部位とが帯状に交互に平行に形成されたシート状吸収体からなり、前記シート状吸収体の幅方向中央部には、前記高吸収成分の非存在部位内の折り曲げ線に沿って前記シート状基材が折り返されて、前記高吸収成分の存在部位が３層以上重なり合って形成されている少なくとも１つの帯状の多層構造部分を有していて、吸液により前記多層構造部分が他の部分より高く隆起することによって中央部が自立的に立体化する構造であることを特徴とする易立体化吸収体。
【請求項２】
前記多層構造部分が、シート状吸収体の長さ方向の全体に亘って存在することを特徴とする請求項１記載の易立体化吸収体。
【請求項３】
前記多層構造部分が、シート状吸収体の全長のほぼ１／２もしくはそれ以下の長さを有し、かつシート状吸収体の長さ方向の中央部のみに存在することを特徴とする請求項１記載の易立体化吸収体。
【請求項４】
前記多層構造部分の幅方向の両側方に位置する高吸収成分の非存在部位に、シート状吸収体の長さ方向に延びるスリットが形成され、これにより前記多層構造部分が他の部分から幅方向の拘束力の影響を受けずに吸液隆起できるようになされていることを特徴とする請求項１〜３のいずれか１項に記載の易立体化吸収体。
【請求項５】
前記多層構造部分の中央部において、シート状吸収体の長さ方向と直行する方向に延びる離間した２つのスリットを設けて中央ゾーンが形成されており、これにより前記多層構造部分の中央ゾーンが他の部分から長さ方向の拘束力の影響を受けずに容易に吸液隆起できることを特徴とする請求項１〜４のいずれか１項に記載の易立体化吸収体。
【請求項６】
シート状吸収体の中央部分に位置する高吸収成分の存在部位を挟んでその両側に位置する２つの高吸収成分の非存在部位を、各折り曲げ部が相互に向き合うように谷折りに折り曲げられることにより、シート状吸収体の中央部に高吸収成分の存在部位が三重となっている多層構造部分が形成されていることを特徴とする請求項１〜５のいずれか１項に記載の易立体化吸収体。
【請求項７】
前記相互に向き合った谷折りの折り曲げ部の間が５ｍｍ以上の間隔に保持されており、前記多層構造部分が吸液時に２つの嶺状に隆起することを特徴とする請求項６に記載の易立体化吸収体。
【請求項８】
シート状吸収体の幅方向の中央部に形成された前記多層構造部分の両側に、適当な間隔を隔てて、シート状吸収体を折り畳んで形成されているサイド多層構造部分を有しており、前記中央部多層構造部分と各サイド多層構造部分との間に、液の通路となる谷部が形成されていることを特徴とする請求項１〜７のいずれか１項に記載の易立体化吸収体。
【請求項９】
前記サイド多層構造部分の両縁部に沿って延びる帯状のアクイジション層をさらに備えていることを特徴とする請求項８記載の易立体化吸収体。
【請求項１０】
前記中央部多層構造部分と各サイド多層構造部分の少なくとも１つの多層構造部分の下面に、その長さ方向に沿って延びる帯状のアクイジション層をさらに備えていることを特徴とする請求項１〜９のいずれか１項に記載の易立体化吸収体。
【請求項１１】
シート状吸収体に形成された前記高吸収成分の存在部位が、５０％以上の高吸液性樹脂を含む高吸収性層で構成され、かつ前記高吸収成分の非存在部位が、前記シート状基材のみからなっていることを特徴とする請求項１〜１０のいずれか１項に記載の易立体化吸収体。
【請求項１２】
シート状吸収体の高吸収成分の存在部位とその非存在部位が交互に連続細幅ライン状に分布していることを特徴とする請求項１〜１１のいずれか１項に記載の易立体化吸収体。
【請求項１３】
前記請求項１〜１２のいずれか１項に記載の易立体化吸収体を吸収要素として備えていることを特徴とする吸収体製品。
【発明の詳細な説明】
【０００１】
【発明の属する術分野】
本発明は、人体からの排泄液を吸収し、そこに固定するための吸収体に関し、さらに詳しくは、吸収時に人体の３次元的な形状に適合する形状に容易に立体化する易立体化吸収体に関する。さらに本発明は、このような吸水により中央部で立体化する易立体化吸収体を吸収要素として備える吸収体製品に関する。
【０００２】
【従来の技術】
液透過性トップシートと、液体不透過性バックシートと、これら両シートの間に介在する吸収体からなる吸収体製品は、種々の用途、例えば尿パッド、尿失禁製品、おむつ等に従来より広く用いられている。これらの吸収体製品は、近年、吸収体の厚みによるゴワツキ感やムレを解消するために、その厚さを低減することによる薄型化の傾向にある。
【０００３】
しかしながら、薄型吸収体製品は、着用者が動きやすい一方で、身体排出部位への密着性が不十分となりやすいために、排泄直後に体液が身体に沿って流れ、着用者に不快感を与えるという問題を伴いやすい。また、長時間にわたって連続使用した場合には、漏れの原因となっている。
このような問題を解決するために、コアとなる吸収体の中央部に、別に用意した嵩高吸収層を加えて密着性の改善を図ることが提案されている。例えば、特開2000-51269号公報には、パルプ層の長手方向の中央部に、幅の狭いポリマーシート層を積層することにより、フィット性の向上を図った吸収体製品か開示されている。
【０００４】
【発明が解決しようとする課題】
しかしながら、上記のような従来の技術では、吸収体の主体である吸収層に、依然として体積が大きい綿状パルプが高い割合で含まれているために、吸収体の厚ぼったさを解消することができない。また、吸収した液の保持能力が不十分であるために、トップシートにべたつき感が残り、着用者に不快感を与える場合が多い。
さらに、中央部に立体形状を付与させるためにシート状吸収体を新たに積層しなければならないため、材料のコストアップに加えて、装置のコストアップにもつながるという問題点を有している。
【０００５】
本発明の目的は、新たにシート状吸収体を加えることなく簡便な方法により中央部多層構造部分を形成し、使用前には薄くコンパクトで、体液吸収後には自発隆起によってさらに優れた身体排出部への密着性を有する吸収体、及びこの吸収体を用いた吸収性製品を提供することである。
【０００６】
【課題を解決するための手段】
本発明は、以下の各発明を包含する。
【０００７】
（１）シート状基材の長さ方向に、高吸収成分の存在部位とその非存在部位とが帯状に交互に平行に形成されたシート状吸収体からなり、前記シート状吸収体の幅方向中央部には、前記高吸収成分の非存在部位内の折り曲げ線に沿って前記シート状基材が折り返されて、前記高吸収成分の存在部位が３層以上重なり合って形成されている少なくとも１つの帯状の多層構造部分を有していて、これにより前記高吸収性分が乾燥状態にある時には前記多層構造部分の表面と他の部分の表面とはほぼ平坦であるが、吸液に伴って前記多層構造部分が他の部分より高く隆起することによって中央部が自立的に立体化する構造であることを特徴とする易立体化吸収体。
【０００８】
（２）前記多層構造部分が、シート状吸収体の長さ方向の全体に亘って存在することを特徴とする（１）項記載の易立体化吸収体。
【０００９】
（３）前記多層構造部分が、シート状吸収体の全長のほぼ１／２もしくはそれ以下の長さを有し、かつシート状吸収体の長さ方向の中央部のみに存在することを特徴とする（１）項記載の易立体化吸収体。
【００１０】
（４）前記多層構造部分の幅方向の両側方に位置する高吸収成分の非存在部位に、シート状吸収体の長さ方向に延びるスリットが形成され、これにより前記多層構造部分が他の部分から幅方向の拘束力の影響を受けずに吸液隆起できるようになされていることを特徴とする（１）〜（３）項のいずれか１項に記載の易立体化吸収体。
【００１１】
（５）前記多層構造部分の中央部において、シート状吸収体の長さ方向と直行する方向に延びる離間した２つのスリットを設けて中央ゾーンが形成されており、これにより前記多層構造部分の中央ゾーンが他の部分から長さ方向の拘束力の影響を受けずに容易に吸液隆起できることを特徴とする（１）〜（４）項のいずれか１項に記載の易立体化吸収体。
【００１２】
（６）シート状吸収体の中央部分に位置する高吸収成分の存在部位を挟んでその両側に位置する２つの高吸収成分の非存在部位を、各折り曲げ部が相互に向き合うように谷折りに折り曲げられることにより、シート状吸収体の中央部に高吸収成分の存在部位が三重となっている多層構造部分が形成されていることを特徴とする（１）〜（５）項のいずれか１項に記載の易立体化吸収体。
【００１３】
（７）前記相互に向き合った谷折りの折り曲げ部の間が５ｍｍ以上の間隔に保持されており、前記多層構造部分が吸液時に２つの嶺状に隆起することを特徴とする（６）項記載の易立体化吸収体。
【００１４】
（８）シート状吸収体の幅方向の中央部に形成された前記多層構造部分の両側に、適当な間隔を隔てて、シート状吸収体を折り畳んで形成されているサイド多層構造部分を有しており、前記中央部多層構造部分と各サイド多層構造部分との間に、液の通路となる谷部が形成されていることを特徴とする（１）〜（７）項のいずれか１項に記載の易立体化吸収体。
【００１５】
（９）前記サイド多層構造部分の両縁部に沿って延びる帯状のアクイジション層をさらに備えていることを特徴とする（８）項記載の易立体化吸収体。
【００１６】
（１０）前記中央部多層構造部分と各サイド多層構造部分の少なくとも１つの多層構造部分の下面に、その長さ方向に沿って延びる帯状のアクイジション層をさらに備えていることを特徴とする（１）〜（９）項のいずれか１項に記載の易立体化吸収体。
【００１７】
（１１）シート状吸収体に形成された前記高吸収成分の存在部位が、５０％以上の高吸液性樹脂を含む高吸収性層で構成され、かつ前記高吸収成分の非存在部位が、前記シート状基材のみからなっていることを特徴とする（１）〜（１０）項のいずれか１項に記載の易立体化吸収体。
【００１８】
（１２）シート状吸収体の高吸収成分の存在部位とその非存在部位が交互に連続細幅ライン状に分布していることを特徴とする（１）〜（１１）項のいずれか１項に記載の易立体化吸収体。
【００１９】
（１３）前記（１）〜（１２）項のいずれか１項に記載の易立体化吸収体を吸収要素として備えていることを特徴とする吸収体製品。
【００２０】
【発明の実施の形態】
本発明の易立体化吸収体について図面を参照してさらに詳細に説明する。
図１は、本発明の易立体化吸収体の基本的な構成を説明するものであり、その長さ方向と直交する線に沿って切断した断面図である。図において、シート状吸収体１は、不織布のような液体透過性であるシート状基材１１の表面に、帯状に高吸収成分の存在部位１２と非存在部位１３とが交互に形成されたもので、その幅方向の中央部に、シート状吸収体１を折り畳むことによって形成された多層構造部分２０が、シート状吸収体１の長さ方向に延びるように形成されている。
【００２１】
なお、図１では、本発明の易立体化吸収体として、シート状吸収体１の高吸収成分帯１２が設けられている側の表面から立ち上がるように多層構造部分２０を形成した例を示しているが、高吸収成分をシート状基材１１の下面側に設け、その上面側から立ち上がるように多層構造部分２０を形成することもできる。また、シート状吸収体１は、高吸収成分をシート状基材の間に所定間隔で帯状に平行配置し、各高吸収成分帯間をヒートシール等によって接合して形成されているものであっても良い。
【００２２】
図２の(ａ)及び(ｂ)は、図１に示した易立体化吸収体を構成するのに使用されたシート状吸収体１の一部の平面図及び断面図を示している。このシート状吸収体１は、不織布、好ましくは嵩高性と通気性を有する不織布からなるシート状基材１１の表面に、ラインコーティング技術を適用して、シート状基材１１の長さ方向に沿って相互に平行な帯状に高吸収成分を塗布することにより形成されたもので、適当な間隔で配置された複数の高吸収成分帯からなる高吸収成分の存在部位１２と、高吸収成分の存在しない部位、すなわち高吸収成分の非存在部位１３とが交互に配置されている。
【００２３】
高吸収成分の存在部位１２は、易立体化吸収体の吸収の主体をなす部分である。また非存在部位１３は、拡散／アクイジション（ａｃｇｕｉｓｉｔｉｏｎ）領域として機能し、シート状吸収体１が液を吸収する前も吸収後も、自由に空気が通過できる通気構造を有していることが望ましい。
【００２４】
シート状吸収体１に設けられる高吸収成分の存在部位１２は、好ましくは、高吸収成分とミクロフィブリル状セルロースとからなる。さらに詳しくは、高吸収成分とミクロフィブリル状セルロースをプロピレングリコールやメタノールのような有機溶媒と水との混合溶媒に分散して形成している塗工液を、ポリエチレン系、ポリプロピレン系、ポリエステル系、その他の熱可塑性樹脂、あるいはレーヨン、コットンなどからなる、一般に不織布に用いられている繊維材料を使用して形成されている不織布に帯状に塗工して形成されている。
【００２５】
ミクロフィブリル状セルロースとは、木材パルプを高シェア化で開繊して得られる、平均繊維長0.1％以下の極微細繊維である。シート状吸収体は、高吸収成分を不織布にコーティングして得られるので、任意の幅のラインコートが可能である。塗工パターンは全面コートとラインコートの組み合わせ、ラインコートのみなど選択することができる。
【００２６】
望ましいシート状吸収体の形態は、高吸収成分の存在部位と非存在部位が相互に接する連続相を有しているものである。特に、非存在部位がシート状基材のみである場合を例にとると、非存在部位は、存在部位と比較して極めて柔軟であるために、容易に折り畳むことができ、そうすることによって高吸収成分の存在部位同士を折り重ねて相互に接触させることができる。
【００２７】
このように、非存在部位で折り畳んで高吸収成分の存在部位同士を折り重ねても、シート状基材自体は極めて薄いために、該折り重ね部分の厚さに影響を与えることが少ないし、また、高吸収成分の存在部位にしても、高吸収成分を主成分としているため、従来のパルプ／高吸収成分混合系と比較して１／２から１／５程度と極めて薄く、前記のように折り重ねても、それによって生じる凸部はそれほど目立たず、全体的に薄くてコンパクトな易立体化吸収体を形成することができる。
【００２８】
高吸収成分の非存在部位は、幅方向には中央部に、長さ方向には吸収体全長に亘って配置することにより、非存在部位内に位置する折り畳み線で折り畳むことが可能であり、長さ方向に連続な多層構造を形成することができる。また、工業的生産を行う場合には、ガイドプレート等の簡単な装置により連続的に容易に折り畳むことができる。
【００２９】
本発明の易立体化吸収体において、シート状吸収体に高吸収成分の非存在部位を複数配置しても、必ずしもそれらを全てで折り畳む必要はない。高吸収体成分の存在部位は、任意の幅で、任意の本数を配置することができる。多層構造部分内においても、その最上層は高吸収成分のみからなってもよいし、非存在部位が混在していてもよい。
【００３０】
また、本発明の易立体化吸収体は、単一のシート状吸収体を折り曲げて構成してもよく、あるいは複数枚のシート状吸収体を重ねて用いてもよい。２層以上のシート状吸収体を組み合わせて用いる場合、重ねてから折り畳んでもよいし、シート状吸収体を折り畳んでから下層にシートを重ねてもよい。
【００３１】
再び図１において、多層構造部分２０の形成は、シート状吸収体１をその幅方向の中心線を挟んで両側に、適当な幅Ｗだけ離れた位置にある２つの高吸収成分の非存在部位１３内で折り曲げ線Ｓ１及びＳ２で山折りに折り曲げ、両折り曲げ線Ｓ１及びＳ２よりも外側に位置する高吸収成分の非存在部位１３、１３内の折り曲げ線Ｓ３及びＳ４でそれぞれ谷折りに折り曲げることにより行われている。このような折り曲げの結果、折り曲げ線Ｓ３と曲げ線Ｓ４とは、間隔ｇを隔てて対向することになり、多層構造部分２０では、シート状吸収体１は、間隔ｇの幅を除く大部分において３層構造となり、他の部分の３倍の厚さを有することとなる。
【００３２】
折り曲げ線Ｓ３とＳ４との間隔ｇを小さくすることによって、３層構造はほぼ均一な厚さとなり、この場合には、多層構造部分２０は体液を吸収して膨張し、全体に均一に隆起して、身体に対する密着性を高めることができる。
また、間隔ｇの幅を５ｍｍ以上に離した場合には、中央が１層、その両サイドが３層の構造を形成することになる。この場合には多層構造部分２０は、吸液による中央部の隆起よりも、その両側での隆起の方が高くなり、断面形状としてＭ型となる。これにより、中央の凹部が液の通路となり、液の拡散性が良好となる。
【００３３】
図３の模式図は、このように、幅方向の中央部に多層構造部分２０を持つ易立体化吸収体の吸液前の状態（ａ）と、吸液により全体が膨潤・膨化して厚さを増加した状態（ｂ）を示している。図３において、特に、中央の多層構造部分２０は、この部分が、アーチ状に隆起して立体化し、着用者の身体の排泄部の溝状部分に沿って密着する。その結果、着用者の運動等によっても所定の位置からズレるおそれはなく、その吸収機能を最大限に発揮する。
【００３４】
本発明において、上記のような折り畳みを複数回にわたって行い、中央部に任意の層を形成することが可能であり、折り畳みが多重になるほど、吸液によりさらに容易に膨化、隆起して自立的に立体化状態に至る。このように中央部が自立的に隆起して容易に立体化状態に至る構造の吸収体を、この明細書では「易立体化吸収体」と称する。
このような自発的に立体化する機能は、その隆起の方向を規定することによってより顕著になり、しかもその程度を制御することが可能である。
【００３５】
図３〜図５は、伸長しないシート状基材の長さ方向に沿って相互に平行な帯状に高吸収成分の存在部位とその非存在部位とが交互に形成されたシート状吸収体１を用いて、その折り曲げ線の位置や間隔等を変えて、異なる形状の多層構造部分２０を形成した例を示している。これらの各図において、(ａ)は未吸収状態、(ｂ)は液を吸収して全体が膨潤・膨化により厚さを増した状態をそれぞれ示している。
【００３６】
図６は、本発明の他の実施の形態による易立体化吸収体を示している。この易立体化吸収体は、ＳＢ、ＳＭＳのような不織布材料、ＯＥ、ＰＰなどのフィルムあるいはその積層体などの非伸長性のシート状材料３０を使用し、その上に多層構造部分２０を形成したシート状吸収体１を重ね、多層構造部分２０の両側において、ホットメルト３１で不織布基材３０に固定した構造を有している。
この場合には、ホットメルトで固定されていて多層構造部分２０の幅方向におけるシート状吸収体１の伸長が規制されているため、多層構造部分２０の膨化方向は上方のみで可能となり、極めて早い安定した立体化が達成される。
【００３７】
さらに本発明の易立体化吸収体においては、シート状吸収体の幅方向の中央部に設けられた多層構造部分に加えて、その両側部にもサイド多層構造部分を設けることができる。
このような構成の一例を図７に示す。この例の易立体化吸収体を構成するシート状吸収体１の幅方向の中央部に、高吸収成分を配置した面を下向きにして、図１に示した易立体化吸収体と同様のセンター多層構造部分２０が上向きに形成されるとともに、その両側部に、シート状吸収体１の側縁部の一部を、センター多層構造部分２０とは反対側(易立体化吸収体の使用状態における裏面側)に折り返して二重にしたサイド多層構造部分４０が形成されている。
【００３８】
図８は、多層構造部分２０が形成されている面と同一表面にシート状吸収体１を折り返すことにより形成されたサイド多層構造部分５０を形成した例を示している。この例の易立体化吸収体においては、センター多層構造部分２０と各サイド多層構造部分５０との間に、表面側に開口するチャンネル５１が形成される。このチャンネル５１は、多層構造部分２０で吸収されなかった液をチャンネル５１内に流入させ、このチャンネル５１内の高吸収成分の存在部位１２に速やかに吸収、固定させる。
【００３９】
図９は、サイド多層構造部分５０は図８の例と同じであるが、センター多層構造部分２０が、シート状吸収体１の幅方向の中央部でその裏面側に折り畳むことにより形成され、これにより、センター多層構造部分２０の中央部にチャンネル５２が形成される。このチャンネル５２は、易立体化吸収体に液が供給されたときに、この液を一旦チャンネル５２内に貯留し、時間の経過に応じて、このチャンネル５２を囲む高吸収成分の存在部位１２に吸収、固定される。また、サイド多層構造部分５０は、上方に立ち上がって側縁部における防漏壁の役割を果たす。
【００４０】
ここまでに説明してきた各実施例において、本発明の易立体化吸収体の構成は、シート状吸収体を折り畳むことによって幅方向の中央部に形成されている多層構造部分を有するものであるが、シート状吸収体の長さ方向に帯状に延びるように複数の多層構造部分を形成し、易立体化吸収体の吸収の主体をなす領域、すなわち長さ方向における中央部分において、複数の多層構造部分を互いに寄せ集めて集合多層構造部分を形成するように構成することも可能である。以下に、このような集合多層構造部分を設けた易立体化吸収体のいくつかの形態を示す。
【００４１】
図１０(ａ)は、長さ方向に延びる折り曲げ線に複数(この例では４本)の相互に平行な多層構造部分２０を形成したシート状吸収体１を示し、図１０(ｂ)は、その中央部に位置して互いに連接する２つの多層構造部分２０を、シート状吸収体１の長さ方向の中央部のみにおいて互いに寄せ集めて結合して集合多層構造部分６０を形成した易立体化吸収体を示している。
【００４２】
隣接する２つの多層構造部分２０を互いに寄せ集めて結合する手段として、この実施の形態では、図１０(ａ)に示すように、長さ方向に相互に平行に延びるように形成された複数(この例では4本)の多層構造部分２０を形成したシート状吸収体１に、形成すべきセンター多層構造部分の幅方向両側の高吸収成分の非存在部位内の位置においてスリットカット６１を形成し、図１０（ｂ）に示すように、このスリットカット６１で挟まれた部位にある多層構造部分２０を互いに接触させて、ホットメルト等を用いて結合面６２で結合し、これによりセンター多層構造部分６０を形成している。
【００４３】
あるいは、図１１（ａ)に示すように、長さ方向に相互に平行に延びるように形成された複数(この例では４本)の多層構造部分２０を形成したシート状吸収体１に、形成すべきセンター多層構造部分の長さ方向中央部の位置において、長さ方向と直交する方向に延びる離間した２つの平行なスリットカット７１、７１を形成し、このスリットカット７１、７１で他の部分から切り離された部位で多層構造部分２０を互いに接触させて、ホットメルト等を用いて結合線７２で結合し、これによりセンター多層構造部分７０を形成することも可能である。
【００４４】
上記のようなスリットカットを有する本発明の易立体化吸収体では、その多層構造部分がそれに隣接する部位の拘束から解放されるので、吸液時の隆起がさらに容易になるという利点が得られる。さらにスリットカットを設けることにより、これを通じて排出体液が下層部へ物理的に透過、移動することが可能になるので、易立体化吸収体の裏面に配置される液不透過性裏面シートとの間で良好に液を拡散させることができ、易立体化吸収体の表裏両面からの吸収を可能とするものである。
【００４５】
以上に述べたような構造を有する本発明の易立体化吸収体は、シート状基材の長さ方向に沿って相互に平行な帯状の高吸収成分の存在部位とその非存在部位とが交互に形成されている平坦なシート状吸収体と比較して、中央部に多層構造部分が存在することによって優れた吸液・固定性能を有するが、さらに多量の液が短時間に集中して供給されるような条件に対応できるように、液を一時的に保持する、いわゆるアクイジション機能を持つ層を追加することができる。
【００４６】
図１２は、図１に示したものと同様の、多層構造部分２０を有する易立体化吸収体において、この多層構造部分２０の両側に沿って長さ方向に延びるように配置されたアクイジション層７３を設けた易立体化吸収体を示している。
このアクイジション層７３は、図１３に示すように、Ω字状に折り曲げて形成した多層構造部分２０の空間部内に配置することも可能である。
【００４７】
図１４〜図１６は、本発明に適用可能な他の折り畳み構造を例示している。図１４では、（ａ）に示すように、複数の相互に平行な多層構造部分２０を設けたシート状吸収体１に、中央に位置する２つの多層構造部分２０の外側の高吸収成分の非存在部位であるシート状基材１１にスリットカット８１を形成し、この２本のスリットカット８１で挟まれた部分において、図１４（ｂ）及び（ｃ）に示すように、多層構造部分２０の下面同士が互いに接するように接着剤８２等を用いて接合し、これにより、易立体化吸収体１は、その中央部に、他の部分から隆起したセンター多層構造部分８０が形成されている。
【００４８】
図１５に示した例では、複数列の多層構造部分２０を設けたシート状吸収体１を、適当な位置にある隣接する２つの多層構造部分２０−１及び２０−２にまたがって延びるように、その長さ方向中央部に適当な距離だけ離間した２本のスリットカット９１、９１を形成するとともに、該スリットカット間の多層構造部分２０−１の内側（２０−１と２０−２の間）に位置する高吸収成分の非存在部位内でその長さ方向に延びる折り曲げ線９２に添って谷折りに、反対側の多層構造部分２０−２の外側に位置する高吸収成分の非存在部位内の折り曲げ線９３に沿って山折りに折り曲げて、図１５（ｃ）に示すように、この多層構造部分２０−１をそれに隣接する多層構造部分２０−２上に折り重ねて全体で多層構造部分が３層重なった積層構造が形成され、さらに、図１５（ｄ）に示すように二重になった多層構造部分２０−１及び２０−２を２つのスリットカット９１、９１の間の部分で起立させることにより、他の部分から隆起したセンター多層構造部分９０が形成されている。
【００４９】
さらに、図１６に示した例では、複数列の多層構造部分２０を設けたシート状吸収体１に、隣接する複数本（この例では２本）の多層構造部分２０を長さ方向に適当な距離だけ離れた部分で切り離すように２本のスリットカットと、一方のスリットカットの一端から他方のスリットカットの一端に達するように長さ方向に延びるスリットカットからなるコ字形スリットカット１０１ａを設けることによりフラップ１０２ａが形成されている。同様に、このフラップ１０２ａから適当な距離だけ幅方向に離れた位置で、対称形の第２のスリットカット１０１ｂが形成されている。この２つのフラップ１０２ａ及び１０２ｂは、図１６（ｂ）に示すように、内側に折り曲げることで、その間に位置する部分の上に重ねられ、これにより図１６（ｃ）に示すようにシート状吸収体１の中央部において、２列の多層構造部分２０が３層に重なったセンター多層構造部分１００が形成されている。
このような構成のシート状吸収体１は、センター多層構造部分１００が吸液した場合に高く隆起することが可能であり、さらに、センター多層構造部分１００に隣接するフラップ１０２ａ及び１０２ｂが形成されていた部分が開口部となっており、この開口部を通じて排出体液が下層部へ物理的に透過、移動することが可能となり、下層部において排出体液の貯留、拡散、吸収が容易に行えるようになる。
【００５０】
上に述べたような種々の形態の多層構造部分を有する本発明の易立体化吸収体は、通常のシート状吸収体として種々の吸収体製品に組み込むことができ、前述のような優れた吸収性能を発揮する。
【００５１】
図１７及び図１８は、センター多層構造部分１２０を形成した易立体化吸収体１２１を用いて構成された吸収体製品１２２の一例を示している。図１７及び図１８において、符号１２３はトップシート、１２４はバックシート、１２５は弾性部材、１２６はティッシュをそれぞれ示している。このような構成を有する吸収体製品１２２は、液体が供給されることにより、センター多層構造部分１２０の大きい吸収容量により効果的な吸収を行うとともに、このセンター多層構造部分１２０が隆起し、人体の凹凸面にフィットして優れた漏れ防止作用を発揮する。
【００５２】
また図１９は、同様の易立体化吸収体１３１を用いて構成された他の形態の吸収体製品１３２を示している。
以上に説明したように、本発明の吸収体製品は、液透過性のトップシートと液不透過性のバックシートと、これら両シートの間に配置された体液を吸収、保持する吸収体本体からなり、幅方向中央部は折り畳み構造を形成している。前記折り畳み構造は吸収体本体を折りたたんだ後にトップシート、バックシートを張り合わせることにより形成してもよいし、その逆に吸収体本体、バックシートを張り合わせた後に折り畳んで形成してもよい。
【００５３】
【発明の効果】
本発明の易立体化吸収体は、その幅方向の中央部に、易立体化吸収体を構成しているシート状吸収体を少なくとも二重にした多層構造部分を有しているので、供給された液を吸収したとき、この多層構造部分が速やかに吸液すると同時に、他の部分よりも高く隆起して自発立体化し、着用者の身体に密着して、液の漏れを効果的に防止する。
【図面の簡単な説明】
【図１】第１の実施例における易立体化吸収体の幅方向断面図。
【図２】図１のシート状吸収体の平面図及び断面図。
【図３】多層構造部分の一例の未吸収状態及び吸液状態の模式図。
【図４】多層構造部分の一例の未吸収状態及び吸液状態の模式図。
【図５】多層構造部分の一例の未吸収状態及び吸液状態の模式図。
【図６】第２の実施例における易立体化吸収体の多層構造部分の断面模式図。
【図７】第３の実施例における易立体化吸収体の多層構造部分の断面模式図。
【図８】第４の実施例における易立体化吸収体の多層構造部分の断面模式図。
【図９】第５の実施例における易立体化吸収体の多層構造部分の断面模式図。
【図１０】第６の実施例における易立体化吸収体の多層構造部分の斜視図。
【図１１】第７の実施例における易立体化吸収体の多層構造部分の斜視図。
【図１２】第８の実施例における易立体化吸収体の多層構造部分の断面図。
【図１３】第９の実施例における易立体化吸収体の平面図及び断面図。
【図１４】第１０の実施例における易立体化吸収体の多層構造部分の平面図及び断面図。
【図１５】第１１の実施例における易立体化吸収体の多層構造部分の平面図及び断面図。
【図１６】第１２の実施例における易立体化吸収体の多層構造部分の平面図及び断面図。
【図１７】本発明の易立体化吸収体を用いて構成された吸収体製品を示す斜視図。
【図１８】図１７のＦ−Ｆ’線における断面図。
【図１９】  本発明の易立体化吸収体を用いて構成された他の吸収体製品を示す断面図。
【符号の説明】
１  シート状吸収体
１１  シート状基材
１２  高吸収成分の存在部位
１３  非存在部位
２０  多層構造部分
３０  シート状材料
３１  ホットメルト
４０、５０  サイド多層構造部分
５１、５２  チャンネル
６０、７０  センター多層構造部分
６１、７１  スリットカット
７２  結合線
７３  アクイジション層
８０  センター多層構造部分
８１  スリットカット
８２  接着剤
２０−１，２０−２，２０−３  多層構造部分
９０  センター多層構造部分
９１  スリットカット
９２，９３  折り曲げ線
１００  センター多層構造部分
１０１ａ，１０１ｂ  コ字形スリットカット
１０２ａ，１０２ｂ  フラップ
１２０  センター多層構造部分
１２１  易立体化吸収体
１２２  吸収体製品
１２３  トップシート
１２４  バックシート
１２５  弾性部材
１２６  ティッシュ
１３１  易立体化吸収体
１３２  吸収体製品
【図１】
0004229309.tif 000002
【図２】
0004229309.tif 000003
【図３】
0004229309.tif 000004
【図４】
0004229309.tif 000005
【図５】
0004229309.tif 000006
【図６】
0004229309.tif 000007
【図７】
0004229309.tif 000008
【図８】
0004229309.tif 000009
【図９】
0004229309.tif 000010
【図１０】
0004229309.tif 000011
【図１１】
0004229309.tif 000012
【図１２】
0004229309.tif 000013
【図１３】
0004229309.tif 000014
【図１４】
0004229309.tif 000015
【図１５】
0004229309.tif 000016
【図１６】
0004229309.tif 000017
【図１７】
0004229309.tif 000018
【図１８】
0004229309.tif 000019
【図１９】
0004229309.tif 000020